(57)【要約】【課題】点字ブロックとしても使用できるものであって、歩行者用補助信号灯と同じようにして施工できる点字ブロック型補助信号灯、及びこれを備えた交通信号装置を供給することにある。【解決手段】横断歩道の歩行者停止位置付近において地面に埋設され、地上の歩行者用信号灯と連動して複数色発光可能な補助信号灯において、表面と一体となって複数の凸部が配列配置された少なくとも一部に透光性を有するパネルと、このパネルの配列配置された凸部とある一定の位置関係となる箇所に複数のＬＥＤ素子が実装されたＬＥＤ実装基板と、このＬＥＤ実装基板が収納されるボックスと、を備え、このボックスに前記ＬＥＤ実装基板を収納し、さらに前記パネルを前記ＬＥＤ実装基板と略平行に対面して前記ボックスに取り付けてなる点字ブロック型補助信号灯。【選択図】　　　　図１
2004137814.tif 000002
【特許請求の範囲】
【請求項１】
横断歩道の歩行者停止位置付近において地面に埋設され、地上の歩行者用信号灯と連動して複数色発光可能な補助信号灯において、表面と一体となって複数の凸部が配列配置された少なくとも一部に透光性を有するパネルと、このパネルの配列配置された凸部とある一定の位置関係となる箇所に複数のＬＥＤ素子が実装されたＬＥＤ実装基板と、このＬＥＤ実装基板が収納されるボックスと、を備え、このボックスに前記ＬＥＤ実装基板を収納し、さらに前記パネルを前記ＬＥＤ実装基板と略平行に対面して前記ボックスに取り付けてなる点字ブロック型補助信号灯。
【請求項２】
前記ＬＥＤ実装基板を前記ボックスに取り付けたときに、前記ＬＥＤ素子は、前記パネルの配列配置された凸部と同じ配列配置で対向するように、ＬＥＤ実装基板に実装されるとともに、ＬＥＤ素子からの光をパネルの凸部より放出するものであることを特徴とする請求項１記載の点字ブロック型補助信号灯。
【請求項３】
前記ＬＥＤ実装基板を前記ボックスに取り付けたときに、前記ＬＥＤ素子は、パネルの配列配置された凸部と凸部の略中間部となる箇所で対向するように、ＬＥＤ実装基板に実装されるとともに、ＬＥＤ素子からの光をパネルの凸部以外より放出するものであることを特徴とする請求項１記載の点字ブロック型補助信号灯。
【請求項４】
前記パネルにパネルを貫通する柱状の透光部を設け、この透光部より前記ＬＥＤ素子からの光をパネルの上方に放出させるものであることを特徴とする請求項１乃至３記載の点字ブロック型補助信号灯。
【請求項５】
前記透光部は、その配列配置が上下、左右対称に設けられたことを特徴とする請求項４記載の点字ブロック型補助信号灯。
【請求項６】
前記パネルの配列配置された凸部にパネルを貫通する柱状の透光部を設け、この透光部より前記ＬＥＤ素子からの光をパネルの上方に放出させるものであることを特徴とする請求項２記載の点字ブロック型補助信号灯。
【請求項７】
前記柱状の透光部は、前記パネルの表面から突出する透光突出部を有し、この透光突出部により前記パネルの凸部を形成したものであることを特徴とする請求項６記載の点字ブロック型補助信号灯。
【請求項８】
前記透光突出部は、略円錐台の形状であることを特徴とする請求項７記載の点字ブロック型補助信号灯。
【請求項９】
前記透光部を、ＬＥＤ素子に近接させたことを特徴とする請求項４乃至８記載の点字ブロック型補助信号灯。
【請求項１０】
前記パネルの少なくとも凸部以外を透光性材料で形成したことを特徴とする請求項１乃至３記載の点字ブロック型補助信号灯。
【請求項１１】
前記ＬＥＤ素子は、一つのＬＥＤ素子の中に、赤色に発光するチップと、青色に発光するチップと、緑色に発光するチップと、を備えたことを特徴とする請求項１乃至１０記載の点字ブロック型補助信号灯。
【請求項１２】
請求項１乃至１１記載の点字ブロック型補助信号灯を横断歩道の歩行者停止位置付近において、複数、連続的に地面に埋設したことを特徴とする交通信号装置。
【発明の詳細な説明】
【０００１】
【発明の属する技術分野】
本発明は、地中に埋設して使用される補助信号灯であって、点字ブロックの機能を備えた点字ブロック型補助信号灯に関する。
【０００２】
【従来の技術】
地中に埋設して使用される補助信号灯としては、実開平９−７３５９４号公報に開示された歩行者用補助信号灯があり、図６はこのものを地面に埋設したときの上面図、図７はこのものを地面に埋設したときの断面図である。このものは、横断歩道の歩行者停止付近の地面に埋設し、地上の歩行者信号と連動して複数色発光可能な歩行者用補助信号灯であって、２次元的に混在して配置された互いに発光色の異なる複数組の光源２１、すなわち赤色ＬＥＤ２１Ｒと青色ＬＥＤ２１Ｂと、をボックス３に収納し、このボックス３の開口部を、透光材料で形成された窓１２ａを有した蓋体１２で水などが侵入しないように塞いでなるものである。
【０００３】
この補助信号灯の施工方法は、まず、横断歩道の歩行者停止位置付近において、所定の穴を掘り、この穴に光源２１が収納されたボックス３を嵌め込む。その後蓋体２１をボックス３の開口部に取り付ける。このとき水などが侵入しないように、防水性を確保すべくＯリングなどの防水パッキンを途中で介在させて取り付けることにより施工が完了する。
【０００４】
この歩行者用補助信号灯を点灯させると光源２１の上部に設けられた窓１２ａより光が上方に放射するものとなる。これにより歩行者の足元で地上の歩行者信号と連動して信号光が発光するので、歩行者からの視認性が向上し交通安全の向上に役立つものとなる。
【０００５】
このものは、上記した構成により、同じ表示面で赤色光及び青色光が発光できるため、その表示スペースが小さくでき、ひいては歩行者用補助信号灯の大きさやその埋込みスペースを小さくできるものとなっている。
【０００６】
しかしながら、この歩行者用補助信号灯は、地面に埋設して使用した場合、その表示面に滑り止めとなる部分がない。特に、視認性を上げるために表示面を広くしたい場合（特に、幼児の足よりも大きくしたい場合）などは、滑り止めを考慮することが望まれていた。
【０００７】
また、このものは補助信号灯であり、例えば、点字ブロックのように、その表面の凹凸により所定の情報を弱視者に与えるものではなかった。
【０００８】
一方、表面の凹凸により所定の情報を弱視者に与える点字ブロックは、横断歩道の歩行者停止付近、つまり交通信号とは関係なく、例えば道路に沿って、さらに広範囲に渡り設けられているものである。また、都会などの街燈が多い明るい場所で、健常者から弱視者を比較的発見しやすい場所に設けられることが多いものであった。
【０００９】
しかし、一部の暗がりなどの点字ブロックの存在がわかりにくい場所での使用を考慮し、その存在を光により示すという点字ブロックが特開２０００−２９０９４４号公報に開示されている。図８は、これに示されたブロックの断面図、図９は、このブロックを点字ブロックに埋め込んだときの斜視図である。この点字ブロック１００は、点字ブロック１００に埋め込まれたブロック１１０が光るものであり、ブロック１１０は、その頂部に向けて光を放射する光源２１と、光源２１を収納するブロック本体１０と、を備えて構成されている。
【００１０】
このものを詳しく説明すると、ブロック本体１０は、短円筒状をなした無色透明のものであり、このブロック本体１０の頂部全体が光透過部１０ａとなっている。この光透過部１０ａは、表面が中央より周縁に向けてなだらかに低くなってゆく緩やかな下り勾配の球型凸形状をなしている。また、ブロック本体１０の下面側は開口１０ｘが設けられているとともに蓋体１０ｃが取り付けられて塞がれた状態となっている。そして、ブロック本体１０の内側空間Ｓには、発光機能を果たすのに必要な部品類が収納されている。
【００１１】
この発光機能を果たすのに必要な部品類は、発光に必要な電力を発生する太陽電池６０と、ＬＥＤを使った光源２１と、電力蓄積用の電気二重層コンデンサ４０と、光源２１の点灯制御を司る点灯制御回路などを搭載したプリント基板５０と、により構成され、これらは全て内側空間Ｓに収められている。そして、昼間の太陽光が降り注ぐ間は、太陽電池６０で発生した電力が電気二重層コンデンサ４０に蓄積され、一方、夕刻になり太陽が没して周囲が暗くなると、電気二重層コンデンサ４０の蓄積電力が光源２１へ供給されて光源２１が自動的に点灯して点字ブロックが発光状態となるように構成されている。
【００１２】
そして、このブロック１１０を点字ブロック１００の中央に埋め込むことにより点字ブロック１００が完成する。
【００１３】
このように構成された点字ブロック１００は、電力を供給する電気配線が不用なものとなるので、これを広範囲にわたり埋設するときの制約が少ないものとなる。さらに点字ブロック１００は、夜間自動的に発光するので、点字ブロック１００が歩行者の目に付き易くなるため点字ブロック１００の凹凸に足を取られることが少なくなるものとなる。
【００１４】
従って、このものは点字ブロックとしては有用なものであった。しかし、補助信号灯としての機能は備えてはおらず、例えば、このものは夜間の目印となる程度の光を発すれば良いものであり、補助信号灯に比べ光の量がかなり少なくてもよいものであった。仮に、補助信号灯の機能を備えるために、点字ブロック１００の複数の頂部にブロック１１０を個々に埋め込み、光の量を増加させたとしても、施工において時間を要するものとなってしまう上に、ブロック１１０を一直線上に埋めることは、かなり難しいものとなってしまう。さらに、このものでは地上の歩行者信号と連動させるために複数埋め込んだブロック１１０を全て電気的に接続する必要もあり、このものは補助信号灯用として使えるものではなかった。
【００１５】
【特許文献１】
実開平９−７３５９４号公報
【００１６】
【特許文献２】
特開２０００−２９０９４４号公報
【００１７】
【発明が解決しようとする課題】
本発明は、上記事由に鑑みてなしたもので、その目的とするところは、点字ブロックとしても使用できるものであって、歩行者用補助信号灯と同じ程度の施工性を備えた点字ブロック型補助信号灯、及びこれを備えた交通信号装置を供給することにある。
【００１８】
【課題を解決するための手段】
請求項１に係る発明は、横断歩道の歩行者停止位置付近において地面に埋設され、地上の歩行者用信号灯と連動して複数色発光可能な補助信号灯において、表面と一体となって複数の凸部が配列配置された少なくとも一部に透光性を有するパネルと、このパネルの配列配置された凸部とある一定の位置関係となる箇所に複数のＬＥＤ素子が実装されたＬＥＤ実装基板と、このＬＥＤ実装基板が収納されるボックスと、を備え、このボックスに前記ＬＥＤ実装基板を収納し、さらに前記パネルを前記ＬＥＤ実装基板と略平行に対面して前記ボックスに取り付けてなる点字ブロック型補助信号灯。
【００１９】
請求項２に係る発明の点字ブロック型補助信号灯は、請求項１において、前記ＬＥＤ実装基板を前記ボックスに取り付けたときに、前記ＬＥＤ素子は、前記パネルの配列配置された凸部と同じ配列配置で対向するように、ＬＥＤ実装基板に実装されるとともに、ＬＥＤ素子からの光をパネルの凸部より放出するものであることを特徴とする。
【００２０】
請求項３に係る発明の点字ブロック型補助信号灯は、請求項１において、前記ＬＥＤ実装基板を前記ボックスに取り付けたときに、前記ＬＥＤ素子は、パネルの配列配置された凸部と凸部の略中間部となる箇所で対向するように、ＬＥＤ実装基板に実装されるとともに、ＬＥＤ素子からの光をパネルの少なくとも凸部以外より放出するものであることを特徴とする。
【００２１】
請求項４に係る発明の点字ブロック型補助信号灯は、請求項１乃至３のいずれかにおいて、前記パネルにパネルを貫通する柱状の透光部を設け、この透光部より前記ＬＥＤ素子からの光をパネルの上方に放出させるものであることを特徴とする。
【００２２】
請求項５に係る発明の点字ブロック型補助信号灯は、請求項４において、前記透光部は、その配列配置が上下、左右対称に設けられたことを特徴とする。
【００２３】
請求項６に係る発明の点字ブロック型補助信号灯は、請求項２において、前記パネルの配列配置された凸部にパネルを貫通する柱状の透光部を設け、この透光部より前記ＬＥＤ素子からの光をパネルの上方に放出させるものであることを特徴とする。
【００２４】
請求項７に係る発明の点字ブロック型補助信号灯は、請求項６において、前記柱状の透光部は、前記パネルの表面から突出する透光突出部を有し、この透光突出部により前記パネルの凸部を形成したものであることを特徴とする。
【００２５】
請求項８に係る発明の点字ブロック型補助信号灯は、請求項７において、前記透光突出部は、略円錐台の形状であることを特徴とする。
【００２６】
請求項９に係る発明の点字ブロック型補助信号灯は、請求項４乃至８のいずれかにおいて、前記透光部を、ＬＥＤ素子に近接させたことを特徴とする。
【００２７】
請求項１０に係る発明の点字ブロック型補助信号灯は、請求項１乃至３のいずれかにおいて、前記パネルの少なくとも凸部以外を透光性材料で形成したことを特徴とする。
【００２８】
請求項１１に係る発明の点字ブロック型補助信号灯は、請求項１乃至１０のいずれかにおいて、前記ＬＥＤ素子は、一つのＬＥＤ素子の中に、赤色に発光するチップと、青色に発光するチップと、緑色に発光するチップと、を備えたことを特徴とする。
【００２９】
請求項１２に係る発明の交通信号装置は、請求項１乃至１１記載の点字ブロック型補助信号灯を横断歩道の歩行者停止位置付近において、複数、連続的に地面に埋設したことを特徴とする。
【００３０】
【発明の実施の形態】
（第１の実施の形態）
本発明の第１の実施の形態を図１を用いて説明する。図１は点字ブロック型補助信号灯を示す図で、図１（ａ）は上面図、図１（ｂ）は側面から見たときの断面図である。
【００３１】
この点字ブロック型補助信号灯は、横断歩道の歩行者停止位置付近において地面に埋設され、地上の歩行者用信号灯と連動して複数色発光可能な補助信号灯に使用されるものである。このものは、表面と一体となって複数の凸部１ａが配列配置された少なくとも一部に透光性を有するパネル１と、このパネル１の配列配置された凸部１ａとある一定の位置関係となる箇所に複数のＬＥＤ素子２１が実装されたＬＥＤ実装基板２と、このＬＥＤ実装基板２が収納されるボックス３と、を備えて構成されている。そして、この点字ブロック型補助信号灯は、ボックス３にＬＥＤ実装基板２を収納し、さらにパネル１をＬＥＤ実装基板２と略平行に対面してボックス３に取り付けてなるものである。以下、各々の構成部材について詳細な説明を行う。
【００３２】
パネル１は、弾性を備えた樹脂又はゴム材で形成されたもので、一辺がおよそ３０ｃｍ程度の正方形をなしたものである。そしてパネル１の表面には、所謂、点字ブロックの凸部と同じような形状ならびに配列となるように、複数の凸部１ａが配列配置されている。そして、この凸部１ａは、パネル１を透光性の材料により上下に貫通した柱状の透光部７によって形成されている。つまり、凸部１ａは透光部７の一部であって、これは透光部７と一体に設けられた透光突出部がパネル１の表面から突出している部分である。そして、この透光部７は、その配列配置が上下、左右対称に設けられている。さらに透光部７の透光突出部は点字ブロックの凸部の形状に近いものとするために略円錐台の形状をなしており、その表面には、すべり止めとしての小さな凸凹が形成されている。また、ＬＥＤ素子２１からの光は、透光部７を介してパネル１の下方から上方に放出されるものとなっている。
【００３３】
ＬＥＤ実装基板２は、紙フェノール基板やガラスエポキシ基板などのプリント配線板を正方形の板状に加工したもの、又は、これらのプリント配線板にアルミ放熱板を貼り合わせることにより放熱性をよくした基板で、その一面には、ＬＥＤ素子２１が縦横に略等間隔に実装されている。詳しくは、このＬＥＤ素子２１は、ボックス３にＬＥＤ実装基板２を収納し、さらにパネル１をＬＥＤ実装基板２と略平行に対面してボックス３に取り付けたときに、ＬＥＤ素子２１がパネル１の配列配置された凸部１ａと同じ配列配置で対向するように、ＬＥＤ実装基板２に実装されている。そして、ＬＥＤ実装基板２の反対側の面には、ＬＥＤ素子２１を点灯させるための電子部品（図示せず）が実装されている。
【００３４】
ここでＬＥＤ素子２１は、ＬＥＤ実装基板２に実装された、所謂、チップ部品からなる発光ダイオードや、アノードとカソードの電極を備えたチップ素子からＬＥＤ実装基板２に直接ワイヤーボンディングにより接続された発光ダイオードなどが用いられる。そして、このＬＥＤ素子２１は、緑色に発光するＬＥＤと、赤色に発光するＬＥＤと、により構成されており、２つの色のＬＥＤがほぼ接した状態で実装されている。そして、ＬＥＤ実装基板２は、有底短筒状であり上部に正方形の開口を備えた実装基板収納部材２２にシリコン充填などの防水処理を施した上で収納、固定される。
【００３５】
ボックス３は、厚手のもので錆びにくい鋼鈑、例えば厚さが３ｍｍ程度のステンレス鋼鈑などにより形成された上部に正方形の開口を有する箱状のものである。この箱状をなしたボックス３は、開口から底に向かう途中で水平となる段部３ａを備えており、この段部３ａを境にして、実装基板収納部材２２を収納する上部空間と、地上の歩行者信号からの電気信号やＬＥＤ素子２１を駆動する電源を送受電するための下部空間に分かれている。そして下部空間を形成する壁面の一部には、受電のための受電コネクタが、その対向する壁面には、送電のための送電コネクタが各々防水機能を備えて取り付けられている。そして、ボックス３の受電コネクタと、実装基板収納部材２２に取り付けられたＬＥＤ実装基板２と、の間では、メンテナンスを考慮して実装基板収納部材２２が着脱可能に配線され、さらに、受電コネクタと、送電コネクタと、の間では、送り配線がなされている。
【００３６】
そして、ＬＥＤ実装基板２が収納された実装基板収納部材２２をボックス３の段部３ａにネジなどで取り付け固定することにより、実装基板収納部材２２ひいてはＬＥＤ実装基板２をボックス３に収納したものとなる。
【００３７】
次に、この点字ブロック型補助信号灯の施工方法を説明する。まず、横断歩道の歩行者停止位置付近において、所定の穴を掘り、この穴にＬＥＤ実装基板２が収納されたボックス３を嵌め込む。その後パネル１をボックス３の開口の部分に取り付ける。このとき水などが侵入しないように、防水性を確保すべくＯリングなどの防水パッキンを途中で介在させて取り付ける。これによりパネル１がＬＥＤ実装基板２と略平行に対面してボックス３に取り付けられることになり、点字ブロック型補助信号灯の施工が完了する。なお、パネル１をボックス３の開口の部分に取り付ける作業については、事前に工場などで組立てておいてもかまわない作業である。
【００３８】
ここで重要なことは、パネル１に配列配置された複数の凸部１ａと、ＬＥＤ実装基板２に実装された複数のＬＥＤ素子２１と、の位置関係が、パネル１をボックス３に取り付けることにより決まることである。つまり、パネル１をボックス３に取り付けることによりパネル１の凸部１ａの真下にＬＥＤ素子２１が配置されるものとなることである。さらに、このものにおいては透光部７の下面に近接してＬＥＤ素子２１が配置されるものとなる。
【００３９】
その後、この点字ブロック型補助信号灯を複数、連続的に地面に埋め、ボックス３の壁面に設けられた受電コネクタと送電コネクタを順次送り配線し、地上の歩行者信号灯と連動させることにより交通信号装置として使用できるものとなる。
【００４０】
次に、このように施工された点字ブロック型補助信号灯を点灯させると、ＬＥＤ素子２１は、地上の歩行者信号からの電気信号に応じた赤、又は緑の色で点灯する。さらに、歩行者信号灯が青から赤に移り変わるときの、所謂、青の点滅状態である場合には、緑の色で点滅をする。このように発光したＬＥＤ素子２１の光は、ＬＥＤ素子２１の真上であって近接配置された透光部７を介して、パネル１の下方から上方に放出されるものとなる。そして、パネル１の表面から外部に放出されるＬＥＤ素子２１の光は、パネル１から突出した透光部７の略円錐台の形状をなした透光突出部により、略円錐台の平坦部より真上に集中するものと、略円錐台の斜めに傾いた箇所より斜め方向に放出されるものと、の２種類に大別されるものとなる。そして、いずれの光も略円錐台の表面にすべり止めとして形成された小さな凸凹により拡散光となって外部に放出される。ここでパネル１を上下に貫通する透光部７を設けたことにより、ＬＥＤ素子２１の光は、透光部７の放出面すなわち略円錐台をなした透光突出部の表面からのみ放出されることになる。
【００４１】
このようにして点灯した点字ブロック型補助信号灯は、ＬＥＤ素子２１からの光を広い範囲で拡散するものに比べ、略円錐台をなした透光突出部の表面において、その輝度が高いものとなる。従って、歩行者からは、より認識しやすいものとなる。さらに、真上に出る光と斜め方向に出る光とにより、少し離れたところからは、斜めに出た光によりわずかに認識でき、このものの近傍に立ったときは、真上に出る光によりはっきりと認識できるといった使い分けが可能となる。従って、交差点の周辺において、車や自転車を運転するなどの点字ブロック型補助信号灯が不用な者からは見にくく、歩行者などこれが必要なものには、見やすいものとなる。
【００４２】
さらに、このものは前述したように透光突出部が点字ブロックの凸部の形状に近いものであるとともに同じような配列で配置されているので、点字ブロックとしても使用できるものとなる。
【００４３】
この実施の形態によると、点字ブロック型補助信号灯を、表面と一体となって複数の凸部１ａが配列配置された少なくとも一部に透光性を有するパネル１と、このパネル１の配列配置された凸部１ａとある一定の位置関係となる箇所に複数のＬＥＤ素子２１が実装されたＬＥＤ実装基板２と、このＬＥＤ実装基板２が収納されるボックス３と、を備え、このボックス３にＬＥＤ実装基板２を収納し、さらにパネル１をＬＥＤ実装基板２と略平行に対面してボックス３に取り付けてなしたことにより、ボックス３にパネル１を取り付けることで、パネル１に配列配置された複数の凸部１ａと、ＬＥＤ実装基板２に実装された複数のＬＥＤ素子２１と、の位置関係が決まり組立てが完了するものとなり、これに受送電の配線をして埋設することで施工が完了するので、従来の歩行者用補助信号灯と同じ程度の施工性を備えたものとなる。そして地面に埋設したパネルの配列配置された凸部１ａが所謂、点字ブロックの働きをするので点字ブロックとしても使用できるものとなる。
【００４４】
さらに、このものは、ＬＥＤ実装基板２をボックス３に取り付けたときに、ＬＥＤ素子２１は、パネル３の配列配置された凸部１ａと同じ配列配置で対向するように、ＬＥＤ実装基板２に実装されるとともに、ＬＥＤ素子からの光をパネルの凸部より放出するものであることにより、ＬＥＤ素子２１から出た光がより短い経路で凸部から放出されるので効率のよいものとなる。
【００４５】
また、透光部７は、その配列配置が上下、左右対称に設けられたことにより、このものを埋設するときは、その方向性に制約の少ないものとなる。
【００４６】
また、パネル１の配列配置された凸部１ａにパネル１を貫通する柱状の透光部７を設け、この透光部７よりＬＥＤ素子２１からの光をパネル１の上方に放出させるものであることにより、ＬＥＤ素子２１から出た光は、透光部７を介して外部に放出されるものとなり、透光部７の形状や材質により光の出方を変えることができる。例えば、この透光部７の先端部にパネル１の表面から突出する透光突出部を設け、この透光突出部を略円錐台の形状とすることにより、真上に出る光と斜め方向に出る光とに分けることができ、少し離れたところからは斜めに出た光によりわずかに認識でき、このものの近傍に立ったときは真上に出る光によりはっきりと認識できるといった使い分けが可能となる。
【００４７】
また、透光部７を、ＬＥＤ素子２１に近接させたことによりＬＥＤ素子２１から出た光は、より効率よく透光部７に伝達されるものとなる。
【００４８】
さらに、パネル１の配列配置された凸部１ａに形成された透光突出部は点字ブロックとしても使えるものとなる。
【００４９】
なお、ＬＥＤ素子は、緑色に発光するものと赤色に発光するものが各々、別々の位置で格子状に点在配列配置されたものや、青色に発光するものを加えて黄色の光を出せるものとしてもよい。さらに、信号が赤と緑のときでＬＥＤ素子の発光する場所を変えても良い、例えば赤のときは赤の光で「×」とし、緑のときは緑の光で「○」としてもよい。
【００５０】
次に、第１の実施の形態の応用例を説明する。図２は、第１の応用例で、図２（ａ）は点字ブロック型補助信号灯の上面図、図２（ｂ）はこれを側面から見たときの断面図である。この応用例は、前述した透光部７の形状を変えたものである。つまり、透光部７を少し細い円柱とし、略円錐台をなしたパネル１の凸部１ａの平坦部のみを透光部７で形成し、かつその平坦部においてはちいさな凸凹をなだらかなものとし、光の拡散を少なくしたものである。なお、その他の第１の実施の形態と同一の構成部材には、同一符号を付すことにより説明を省略する。
【００５１】
このものは、透光部７によりＬＥＤ素子２１から出た光が、比較的まっすぐに上方に放出されるものとなるので、このものを上から見たときは第１の実施の形態のものよりさらに輝度のある光を認識でき、少し離れた所から見たときは、第１の実施の形態のものよりさらに光を感じにくいものとすることができる。従って、これを頼りにする、例えば弱視者からはさらに見やすく、これを必要としない車や自転車を運転する人などには、さらに目につきにくいものとすることができる。
【００５２】
図３は、第２の応用例で、図３（ａ）は点字ブロック型補助信号灯の上面図、図２（ｂ）はこれを側面から見たときの断面図である。この応用例は、前述した第１の応用例の透光部７とＬＥＤ素子２１の位置を変えたものである。つまり、ＬＥＤ実装基板２をボックス３に取り付けたときに、ＬＥＤ素子２１は、パネルの配列配置された凸部１ａと凸部１ａの略中間部となる箇所で対向するように、ＬＥＤ実装基板２に実装されている。そして、ＬＥＤ素子１からの光をパネルの凸部１ａ以外より放出するために、透光部７をＬＥＤ素子２１に同じ位置で対向するようにパネル１の平坦な部分に設けている。なお、その他の第１の実施の形態と同一の構成部材には、同一符号を付すことにより説明を省略する。
【００５３】
このものは、透光部７によりＬＥＤ素子２１から出た光が、比較的まっすぐに上方に放出されるものとなるので、このものを上から見たときは輝度のある光を認識でき、少し離れた所から見たときは、光を感じにくいものとすることができる。従って、これを頼りにする、例えば弱視者からは見やすく、これを必要としない車や自転車を運転する人などには、目につきにくいものとすることができる。さらに、パネル１の平坦部に透光部７を設けたことにより、パネル１の上に人が乗ったとしても凸部１ａと透光部７との間に隙間ができるので、この隙間から光がもれるものとなり、これによりＬＥＤ素子２１からの光をより認識しやすいものとすることができる。
【００５４】
なお、このものにおいてＬＥＤ素子２１は、パネルの配列配置された凸部１ａと凸部１ａの略中間部となる箇所で対向するように、ＬＥＤ実装基板２に実装され、その上に透光部７を設けているが、必ずしもパネルの配列配置された凸部と凸以外の略中間である必要はなく、適宜その位置を決めたものでもよい。
【００５５】
（第２の実施の形態）
本発明の第２の実施の形態を図４を用いて説明する。図４は点字ブロック型補助信号灯を示す図で、図４（ａ）は上面図、図４（ｂ）は側面から見たときの断面図である。このものは、第１の実施の形態におけるパネル１を変えたものである。図において、パネル１は、略円錐台をなした凸部１ａも含めて全体が透明な強化ガラスや合成樹脂などにより形成されている。そして、パネル１全体がＬＥＤ素子２１からの光を外部に放出できるものとなっている。その他の第１の実施の形態と同一の構成部材には同一符号を付すことにより説明を省略する。
【００５６】
このように構成されたブロック型補助信号灯を点灯させるとＬＥＤ素子２１からの光は、すぐ上に近接して取り付けられた透明のパネル１を介してパネル１の上部に放出される。このときＬＥＤ素子２１の真上には、凸部１ａが設けられているので、その光は、この凸部１ａにより適度に拡散されるものとなる。さらにパネル１全体が透明であるのでＬＥＤ素子２１の光は、パネル１全体で放出されるものとなる。
【００５７】
この実施の形態によると、パネル１の少なくとも凸部１ａ以外を透光性材料で形成したこと、ここでは略円錐台をなした凸部１ａも含めて全体を透明なもので形成したことにより、ＬＥＤ素子２１の光は、パネル１全体で放出されるものとなるので、パネル１全体で発光するやわらかい光を放出することができる。
【００５８】
次に、第２の実施の形態の応用例を説明する。図５は、この応用例で、図５（ａ）は点字ブロック型補助信号灯の上面図、図５（ｂ）はこれを側面から見たときの断面図である。この応用例は、第２の実施の形態で説明したもののパネル１の凸部１ａを変え、さらにＬＥＤ素子２１の位置を変えたものである。つまり、ＬＥＤ実装基板２をボックス３に取り付けたときに、ＬＥＤ素子２１は、パネルの配列配置された凸部１ａと凸部１ａの略中間部となる箇所で対向するように、ＬＥＤ実装基板２に実装されている。そして、パネル１の凸部１ａは、黄色のもので少し固めのゴムなどをパネル１に埋め込んで形成されている。なお、その他の第１の実施の形態と同一の構成部材には、同一符号を付すことにより説明を省略する。
【００５９】
このものにおいてもＬＥＤ素子２１の光は、パネル１全体で放出されるものとなるので、パネル１全体で発光するやわらかい光を放出することができる。さらに、パネル１の凸部１ａを別の部材で構成しているので、凸部１ａをすべり止め機能や、その耐久性などを考慮してより適切なものにすることができる。
【００６０】
なお、第１又は第２の実施の形態においてパネル１の凸部の斜めに傾斜した箇所から光がでるものは、人がこの点字ブロック型補助信号灯の上に乗っても、光がパネル１の平坦部と足の隙間からもれるものとなる。さらに、この点字ブロック型補助信号灯より離れた箇所からは、突出した部分が光っているので、より見やすいものとなる。また、突出しているので多少パネル１に土やごみなどがたまっても受ける影響は少ない。さらに、この部分は、踏まれることが少ない箇所になるので、その表面も磨耗することが少ない。従って、磨耗により光の出方が変わることが少なく好都合である。
【００６１】
さらに、凸部１ａについては、略円錐台の形状に限らず、球面であってもよくこの場合は、放出される光がより均一に広がるものとなる。
【００６２】
【発明の効果】
請求項１記載の発明にあっては、横断歩道の歩行者停止位置付近において地面に埋設され、地上の歩行者用信号灯と連動して複数色発光可能な補助信号灯において、表面と一体となって複数の凸部が配列配置された少なくとも一部に透光性を有するパネルと、このパネルの配列配置された凸部とある一定の位置関係となる箇所に複数のＬＥＤ素子が実装されたＬＥＤ実装基板と、このＬＥＤ実装基板が収納されるボックスと、を備え、このボックスに前記ＬＥＤ実装基板を収納し、さらに前記パネルを前記ＬＥＤ実装基板と略平行に対面して前記ボックスに取り付けてなることにより、ボックスにパネルを取り付けることで、パネルに配列配置された複数の凸部と、ＬＥＤ実装基板に実装された複数のＬＥＤ素子と、の位置関係が決まり、組立てが完了するものとなるので、従来の歩行者用補助信号灯と同じ程度の施工性を備えた点字ブロック型補助信号灯となる。そして地面に埋設したパネルの配列配置された凸部１ａが所謂、点字ブロックの働きをするので点字ブロックとしても使用できる点字ブロック型補助信号灯となる。
【００６３】
請求項２記載の発明にあっては、前記ＬＥＤ実装基板を前記ボックスに取り付けたときに、前記ＬＥＤ素子は、前記パネルの配列配置された凸部と同じ配列配置で対向するように、ＬＥＤ実装基板に実装されるとともに、ＬＥＤ素子からの光をパネルの凸部より放出するものであることにより、請求項１に記載の効果を奏するうえに、ＬＥＤ素子から出た光がより短い経路で凸部から放出されるので効率のよいものとなる。
【００６４】
請求項３記載の発明にあっては、前記ＬＥＤ実装基板を前記ボックスに取り付けたときに、前記ＬＥＤ素子は、前記パネルの配列配置された凸部以外の箇所で対向するように、ＬＥＤ実装基板に実装されるとともに、ＬＥＤ素子からの光をパネルの凸部以外より放出するものであることにより、請求項１に記載の効果を奏するうえに、ＬＥＤ素子から出た光がより短い経路で凸部以外から放出されるので効率のよいものとなる。
【００６５】
請求項４記載の発明にあっては、前記パネルにパネルを貫通する柱状の透光部を設け、この透光部より前記ＬＥＤ素子からの光をパネルの上方に放出させるものであることにより、請求項１乃至３のいずれかに記載の効果を奏するうえに、ＬＥＤ素子から出た光は、透光部を介して外部に放出されるものとなり、透光部の形状や材質により光の出方を変えることができる。
【００６６】
請求項５記載の発明にあっては、前記透光部は、その配列配置が上下、左右対称に設けられたことにより、請求項４に記載の効果を奏するうえに、このものを埋設するときは、その方向性に制約の少ないものとなる。
【００６７】
請求項６記載の発明にあっては、前記パネルの配列配置された凸部にパネルを貫通する柱状の透光部を設け、この透光部より前記ＬＥＤ素子からの光をパネルの上方に放出させるものであることにより、請求項２に記載の効果を奏するうえに、多少パネルに土やごみなどがたまっても周囲より高い所から光が放出されるので受ける影響は少ないものとなる。
【００６８】
請求項７記載の発明にあっては、前記柱状の透光部は、前記パネルの表面から突出する透光突出部を有し、この透光突出部により前記パネルの凸部を形成したものであることにより、請求項６に記載の効果を奏するうえに、透光突出部の形状により、ＬＥＤ素子からの光の出方を変えることができる。
【００６９】
請求項８記載の発明にあっては、前記透光突出部は、略円錐台の形状であることにより、請求項７に記載の効果を奏するうえに、真上に出る光と斜め方向に出る光とに分けることができ、少し離れたところからは斜めに出た光によりわずかに認識でき、このものの近傍に立ったときは真上に出る光によりはっきりと認識できるといった使い分けが可能となる。
【００７０】
請求項９記載の発明にあっては、前記透光部を、ＬＥＤ素子に近接させたことにより、請求項４乃至８のいずれかに記載の効果を奏するうえに、ＬＥＤ素子から出た光は、より効率よく透光部に伝達されるものとなる。
【００７１】
請求項１０記載の発明にあっては、前記パネルの少なくとも凸部以外を透光性材料で形成したことにより、請求項１乃至３のいずれかに記載の効果を奏するうえに、ＬＥＤ素子の光は、パネル全体で放出されるものとなるので、パネル全体で発光するやわらかい光を放出することができる。
【００７２】
請求項１１記載の発明にあっては、前記ＬＥＤ素子は、一つのＬＥＤ素子の中に、赤色に発光するチップと、青色に発光するチップと、緑色に発光するチップと、を備えたことにより、請求項１乃至１０のいずれかに記載の効果を奏するうえに、黄色の光を出すことができるものとなる。
【００７３】
請求項１２記載の発明にあっては、請求項１乃至１１記載の点字ブロック型補助信号灯を横断歩道の歩行者停止位置付近において、複数、連続的に地面に埋設することにより交通信号装置として使用することができる。
【図面の簡単な説明】
【図１】本発明の第１の実施の形態に係る点字ブロック型補助信号灯を示す図で、図１（ａ）は上面図、図１（ｂ）は側面から見たときの断面図である。
【図２】同上の点字ブロック型補助信号灯の第１の応用例を示す図で、図２（ａ）は上面図、図２（ｂ）は側面から見たときの断面図である。
【図３】同上の点字ブロック型補助信号灯の第２の応用例を示す図で、図３（ａ）は上面図、図３（ｂ）は側面から見たときの断面図である。
【図４】本発明の第２の実施の形態に係る点字ブロック型補助信号灯を示す図で、図１（ａ）は上面図、図１（ｂ）は側面から見たときの断面図である。
【図５】同上の点字ブロック型補助信号灯の第１の応用例を示す図で、図５（ａ）は上面図、図５（ｂ）は側面から見たときの断面図である。
【図６】従来例に係る補助信号灯を示す図で、このものを地面に埋設したときの上面図である。図７はこのものを地面に埋設したときの断面図である。
【図７】同上の補助信号灯を地面に埋設したときの断面図である。
【図８】点字ブロックの従来例で、この一部に埋め込まれるブロック本体の断面図である。
【図９】同上のブロック本体を点字ブロックに埋め込んだときの斜視図である。
【符号の説明】
１　　　パネル
１ａ　　凸部
２　　　ＬＥＤ実装基板
２１　　ＬＥＤ素子
３　　　ボックス
７　　　透光部７
【図１】
2004137814.tif 000003
【図２】
2004137814.tif 000004
【図３】
2004137814.tif 000005
【図４】
2004137814.tif 000006
【図５】
2004137814.tif 000007
【図６】
2004137814.tif 000008
【図７】
2004137814.tif 000009
【図８】
2004137814.tif 000010
【図９】
2004137814.tif 000011